【事件の表示】
　特許第３６１５５４０号に関する訂正審判事件について、次のとおり審決する。
【結　論】
　特許第３６１５５４０号に係る明細書及び特許請求の範囲を本件審判請求書に添付された訂正明細書及び特許請求の範囲のとおり請求項ごと又は一群の請求項ごとに訂正することを認める。
【理　由】
第１　手続の経緯
　
　本件訂正審判の請求に係る特許第３６１５５４０号は、平成１３年８月２８日に出願した特願２００１−２５７３４１号の一部を平成１６年５月１８日に新たな特許出願としたものであって、その請求項１〜４に係る発明は、平成１６年１１月１２日にその特許権の設定登録がなされたものであって、平成２４年１０月１６日に本件訂正審判が請求された。
　
　
第２　請求の趣旨及び訂正の内容
　
　本件訂正審判の請求の趣旨は、本件特許第３６１５５４０号の願書に添付した明細書及び特許請求の範囲を審判請求書に添付した訂正明細書及び特許請求の範囲のとおり請求項ごと又は一群の請求項ごとに訂正することを求めることであり、その訂正の内容は、以下のとおりである。
　
１．請求項１〜３からなる一群の請求項に係る訂正
（１）訂正事項１
　特許請求の範囲の請求項１に「金種毎の硬貨収納部」とあるのを、「金種毎の複数の硬貨収納部」に訂正し、「前記硬貨収納部」とあるのを、「前記各硬貨収納部」に訂正する（請求項１に記載を引用する請求項２乃至請求項３も同様に訂正する）。また、特許請求の範囲の請求項２に「前記硬貨収納部」（２か所）とあるのを、それぞれ「前記各硬貨収納部」に訂正する（請求項２の記載を引用する請求項３も同様に訂正する）。さらに、請求項３に「前記硬貨収納部」とあるのを、「前記各硬貨収納部」に訂正する。
　
（２）訂正事項２
　願書に添付した明細書の段落【０００８】および【００１５】にそれぞれ記載された「金種毎の硬貨収納部」を「金種毎の複数の硬貨収納部」に訂正する。さらに、明細書段落【０００８】、【００１０】、【００１２】、【００１５】、【００１６】、【００１７】にそれぞれ記載された「前記硬貨収納部」を、「前記各硬貨収納部」に訂正する。
　
２．請求項４に係る訂正
（１）訂正事項１
　特許請求の範囲の請求項４に「金種毎に仕切られた上方開口の硬貨収納部」とあるのを、「金種毎に仕切られた上方開口の複数の硬貨収納部」に訂正し、「前記硬貨収納部」（４か所）とあるのを、「前記各硬貨収納部」に訂正する。
　
（２）訂正事項２
　願書に添付した明細書の段落【００１３】および【００１８】にそれぞれ記載された「金種毎に仕切られた上方開口の硬貨収納部」を「金種毎に仕切られた上方開口の複数の硬貨収納部」に訂正し、「前記硬貨収納部」を「前記各硬貨収納部」に訂正する。
　
　
第３　当審の判断
　
１．請求項１〜３からなる一群の請求項に係る訂正について
（１）訂正の対象の一群の請求項について
ア．訂正事項１について
　本件請求項１を引用する請求項は、請求項２、３であり、請求項２を引用する請求項は、請求項３である。
　また、請求項１は独立請求項であり、請求項２は、請求項１を引用しており、請求項３は、請求項１、２を引用している。
　したがって、訂正事項１は、一群の請求項である請求項１〜３に係る請求であり、特許法第１２６条第３項の規定に適合する。
　
イ．訂正事項２について
　願書に添付した明細書の段落【０００８】、【００１０】、【００１２】にそれぞれ記載された上記訂正事項２は、段落【０００８】中に記載されている訂正事項２、段落【００１０】中に記載されている訂正事項２、段落【００１２】中に記載されている訂正事項２をそれぞれ含んでいるものである。そして、段落【０００８】には請求項１に対応する課題を解決するための手段が、段落【００１０】には請求項２に対応する課題を解決するための手段が、段落【００１２】には請求項３に対応する課題を解決するための手段が、それぞれ記載されている。
　また、願書に添付した明細書の段落【００１５】、【００１６】、【００１７】にそれぞれ記載された上記訂正事項２は、段落【００１５】中に記載されている訂正事項２、段落【００１６】中に記載されている訂正事項２、段落【００１７中に記載されている訂正事項２をそれぞれ含んでいるものである。そして、段落【００１５】には請求項１に対応する発明の効果が、段落【００１６】には請求項２に対応する発明の効果が、段落【００１７】には請求項３に対応する発明の効果が、それぞれ記載されている。
　ここでは、願書に添付した明細書の訂正である当該訂正事項２と関係する全ての一群の請求項である、請求項１〜３が請求の対象とされている。
　したがって、本件請求は、特許法第１２６条第４項の規定に適合するものである。
　
（２）訂正の目的について
ア．訂正事項１について
　請求項１に係る訂正のうち、「金種毎の硬貨収納部」を「金種毎の複数の硬貨収納部」に訂正する事項について、訂正前の請求項１には、「金種毎の硬貨収納部に金種別に収納された硬貨を硬貨払出搬送経路に沿って搬送面上を搬送して払い出すようにした硬貨払出装置において」と記載されており、「金種別に収納」との記載から複数の金種の硬貨を収納すること、また、その複数の金種の硬貨を金種毎に収納する収納部が、金種毎にそれぞれ備えられ、複数あると認められるところ、請求項１には、金種毎に硬貨収納部が複数あることが明記されておらず、不明瞭な記載が存在していた。当該訂正は、金種毎に硬貨収納部が複数あることが明記されていなかったという不明瞭な点を、「金種毎の複数の硬貨収納部」と明瞭にするものであり、明瞭でない記載の釈明を目的とするものである。
　また、請求項１に係る訂正のうち、「前記硬貨収納部」を「前記各硬貨収納部」に訂正する事項は、上記の、「金種毎の硬貨収納部」を「金種毎の複数の硬貨収納部」に訂正し、硬貨収納部が複数あることを明瞭にしたことに伴って、「前記硬貨収納部」を「前記各硬貨収納部」と明瞭にするものであり、明瞭でない記載の釈明を目的とするものである。
　同様に、請求項２、請求項３の「前記硬貨収納部」を「前記各硬貨収納部」に訂正する訂正事項も、請求項２、請求項３が引用する請求項１の「金種毎の硬貨収納部」を「金種毎の複数の硬貨収納部」に訂正することに伴って、「前記硬貨収納部」を「前記各硬貨収納部」と明瞭にするものであり、明瞭でない記載の釈明を目的とするものである。
　したがって、訂正事項１は、特許法第１２６条第１項ただし書第３号に規定する明瞭でない記載の釈明を目的とするものである。
　
イ．訂正事項２について
　上記訂正事項２は、上記訂正事項１に係る訂正に伴って、特許請求の範囲の記載と発明の詳細な説明の記載との整合を図るため、願書に添付した明細書の段落【０００８】及び【００１５】にそれぞれ記載された「金種毎の硬貨収納部」を、「金種毎の複数の硬貨収納部」に訂正し、願書に添付した明細書の段落【０００８】、【００１０】、【００１２】、【００１５】、【００１６】、【００１７】のそれぞれに記載された「前記硬貨収納部」を、「前記各硬貨収納部」に訂正するものである。
　したがって、訂正事項２は、特許法第１２６条第１項ただし書第３号に規定する明瞭でない記載の釈明を目的とするものである。
　
（３）新規事項の追加の有無について
ア．訂正事項１について
　上記「（２）ア．」で述べたとおり、訂正前の請求項１には、「金種毎の硬貨収納部に金種別に収納された硬貨を硬貨払出搬送経路に沿って搬送面上を搬送して払い出すようにした硬貨払出装置において」と記載されており、「金種別に収納」との記載から複数の金種の硬貨を収納すること、また、その複数の金種の硬貨を金種毎に収納する収納部が、金種毎にそれぞれ備えられ、複数あると認められる。
　また、願書に添付した明細書には、「硬貨選別部１３は、硬貨Ｃが搬送されて、所定の外径の選別穴１４に到達した際に、金種毎に後述する硬貨収納部１５に落下させる。」（段落【００２２】）と記載され、【図２】には、複数の硬貨収納部１５ａ〜１５ｆが図示されている。
　以上のことから、「金種毎の複数の硬貨収納部」が記載されていることは自明である。
　さらに、願書に添付した明細書の「ここで、硬貨収納部１５ａ〜１５ｆの底面部、即ち搬送面１８ａ部の横幅Ｗは、・・・その硬貨収納部１５ａ〜１５ｆに収納される硬貨Ｃの直径よりも広くその硬貨収納部１５ａ〜１５ｆに収納される硬貨Ｃめ直径にその硬貨の厚さを加えた幅よりは狭く設定されている。」（段落【００２４】）、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）、「すなわち、硬貨Ｃは、金種に応じて選別穴１４から落下し、硬貨収納部１５ａ〜１５ｆに金種別に収納される。」（段落【００３０】）との記載、及び、【図２】〜【図６】から、「前記各硬貨収納部の前記搬送面部の硬貨払出搬送方向と直交する方向の幅をその硬貨収納部に収納される硬貨の直径よりも広くその硬貨収納部に収納される硬貨の直径にその硬貨の厚さを加えた幅よりは狭く形成したこと」（請求項１）、「前記各硬貨収納部の幅は、垂直面である前記各硬貨収納部の両側面によって規定されていること」（請求項２）、「前記硬貨を投入するための硬貨投入口を備え、前記硬貨投入口に投入された前記硬貨を搬送する過程で前記硬貨を金種別に選別して前記各硬貨収納部に落下させる硬貨選別部を有すること」（請求項３）は自明である。
　したがって、当該訂正事項１は、願書に添付した明細書、特許請求の範囲又は図面に記載した事項又は記載した事項から自明の事項であり、願書に添付した明細書等の全ての記載を総合することにより導かれる技術的事項との関係において新たな技術的事項を導入しないものであるから、当該訂正事項１は、願書に添付した明細書、特許請求の範囲又は図面に記載した事項の範囲内においてするものであり、特許法第１２６条第５項の規定に適合するものである。
　
イ．訂正事項２について
　上記「（２）ア．」で述べたとおり、訂正前の請求項１には、「金種毎の硬貨収納部に金種別に収納された硬貨を硬貨払出搬送経路に沿って搬送面上を搬送して払い出すようにした硬貨払出装置において」と記載されており、「金種別に収納」との記載から複数の金種の硬貨を収納すること、また、その複数の金種の硬貨を金種毎に収納する収納部が、金種毎にそれぞれ備えられ、複数あると認められる。
　また、願書に添付した明細書には、「硬貨選別部１３は、硬貨Ｃが搬送されて、所定の外径の選別穴１４に到達した際に、金種毎に後述する硬貨収納部１５に落下させる。」（段落【００２２】）と記載され、【図２】には、複数の硬貨収納部１５ａ〜１５ｆが図示されている。
　以上のことから、明細書の段落【０００８】及び【００１５】について、「金種毎の複数の硬貨収納部」が記載されていることは自明である。
　さらに、願書に添付した明細書の「ここで、硬貨収納部１５ａ〜１５ｆの底面部、即ち搬送面１８ａ部の横幅Ｗは、・・・その硬貨収納部１５ａ〜１５ｆに収納される硬貨Ｃの直径よりも広くその硬貨収納部１５ａ〜１５ｆに収納される硬貨Ｃめ直径にその硬貨の厚さを加えた幅よりは狭く設定されている。」（段落【００２４】）、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）、「すなわち、硬貨Ｃは、金種に応じて選別穴１４から落下し、硬貨収納部１５ａ〜１５ｆに金種別に収納される。」（段落【００３０】）との記載、及び、【図２】〜【図６】から、「前記各硬貨収納部の前記搬送面部の硬貨払出搬送方向と直交する方向の幅をその硬貨収納部に収納される硬貨の直径よりも広くその硬貨収納部に収納される硬貨の直径にその硬貨の厚さを加えた幅よりは狭く形成した」（【０００８】、【００１５】）、「前記各硬貨収納部の幅は、垂直面である前記各硬貨収納部の両側面によって規定されている」（【００１０】、【００１６】）、「前記硬貨を投入するための硬貨投入口を備え、前記硬貨投入口に投入された前記硬貨を搬送する過程で前記硬貨を金種別に選別して前記各硬貨収納部に落下させる硬貨選別部を有する」（【００１２】、【００１７】）ことは自明である。
　したがって、当該訂正事項２は、願書に添付した明細書、特許請求の範囲又は図面に記載した事項又は記載した事項から自明の事項であり、願書に添付した明細書等の全ての記載を総合することにより導かれる技術的事項との関係において新たな技術的事項を導入しないものであるから、当該訂正事項２は、願書に添付した明細書、特許請求の範囲又は図面に記載した事項の範囲内においてするものであり、特許法第１２６条第５項の規定に適合するものである。
　
（４）特許請求の範囲の実質上の拡張・変更の存否について
ア．訂正事項１について
　上記「（２）ア．」の理由から明らかなように、上記訂正事項１は、「金種毎の硬貨収納部」を「金種毎の複数の硬貨収納部」と、「前記硬貨収納部」を、「前記各硬貨収納部」と、明瞭でない記載を明瞭にする訂正をするものであり、カテゴリーや対象、目的を変更するものではないから、実質上特許請求の範囲を拡張し、又は変更するものには該当せず、特許法第１２６条第６項の規定に適合するものである。
　
イ．訂正事項２について
　上記訂正事項２は、請求項１〜３に記載された「金種毎の硬貨収納部」および「前記硬貨収納部」に関するものであるが、当該訂正事項２については、明瞭でない記載を明瞭にする訂正をするものであり、カテゴリーや対象、目的を変更するものではないから、実質上特許請求の範囲を拡張し、又は変更するものには該当せず、特許法第１２６条第６項の規定に適合するものである。
　
（５）小括
　以上のように、請求項１〜３からなる一群の請求項に係る訂正は、特許法第１２６条第１項ただし書第３号に掲げる事項を目的とし、同条第３項乃至第６項の規定に適合する。
　
　
２．請求項４に係る訂正について
（１）訂正の対象の請求項について
ア．訂正事項１について
　本件請求項４は独立請求項であり、また請求項４を引用する請求項はない。
　したがって、訂正事項１は請求項４に係る請求であり、特許法第１２６条第３項の規定に適合する。
　
イ．訂正事項２について
　願書に添付した明細書の段落【００１３】、【００１８】にそれぞれ記載された上記訂正事項２は、段落【００１３】中に記載されている訂正事項２、段落【００１８】中に記載されている訂正事項２をそれぞれ含んでいるものである。そして、段落【００１３】には請求項４に対応する課題を解決するための手段が記載されており、段落【００１８】には請求項４に対応する発明の効果が記載されている。
　ここでは、願書に添付した明細書の訂正である当該訂正事項２と関係する請求項４が請求の対象とされている。
　したがって、本件請求は、特許法第１２６条第４項の規定に適合するものである。
　
（２）訂正の目的について
ア．訂正事項１について
　請求項４に係る訂正のうち、「金種毎に仕切られた上方開口の硬貨収納部」を「金種毎に仕切られた上方開口の複数の硬貨収納部」に訂正する事項について、訂正前の請求項４には、「金種毎に仕切られた上方開口の硬貨収納部」と記載され、「前記硬貨選別位置に位置し、搬送された前記硬貨を前記硬貨選別搬送経路に沿わせて順次穴幅寸法が拡大する金種別の選別穴から金種毎に前記硬貨収納部に落下させる硬貨選別部」と記載されており、複数の金種の硬貨を選別し収納すること、また、その選別された複数の金種の硬貨を、金種毎に収納する上方開口の硬貨収納部が、金種毎にそれぞれ備えられ、複数あると認められるところ、請求項４には、金種毎に上方開口の硬貨収納部が複数あることが明記されておらず、不明瞭な記載が存在していた。当該訂正は、金種毎に仕切られた上方開口の複数の硬貨収納部が複数あることが明記されていなかったという不明瞭な点を、「金種毎に仕切られた上方開口の複数の硬貨収納部」と明瞭にするものであり、明瞭でない記載の釈明を目的とするものである。
　また、請求項４に係る訂正のうち、「前記硬貨収納部」を「前記各硬貨収納部」に訂正する事項は、上記の「金種毎に仕切られた上方開口の硬貨収納部」を「金種毎に仕切られた上方開口の複数の硬貨収納部」に訂正し、硬貨収納部が複数あることを明瞭にしたことに伴って、「前記硬貨収納部」を「前記各硬貨収納部」と明瞭にするものであり、明瞭でない記載の釈明を目的とするものである。
　したがって、訂正事項１は、特許法第１２６条第１項ただし書第３号に規定する明瞭でない記載の釈明を目的とするものである。
　
イ．訂正事項２について
　上記訂正事項２は、上記訂正事項１に係る訂正に伴って、特許請求の範囲の記載と発明の詳細な説明の記載との整合を図るため、願書に添付した明細書の段落【００１３】および【００１８】にそれぞれ記載された「金種毎に仕切られた上方開口の硬貨収納部」を「金種毎に仕切られた上方開口の複数の硬貨収納部」に訂正し、「前記硬貨収納部」を「前記各硬貨収納部」に訂正するものである。
　以上のとおり、当該訂正事項２は、特許法第１２６条第１項ただし書第３号に規定する明瞭でない記載の釈明を目的とするものである。
　
（３）新規事項の追加の有無について
ア．訂正事項１について
　上記「（２）ア．」で述べたとおり、訂正前の請求項４には、「金種毎に仕切られた上方開口の硬貨収納部」と記載され、「前記硬貨選別位置に位置し、搬送された前記硬貨を前記硬貨選別搬送経路に沿わせて順次穴幅寸法が拡大する金種別の選別穴から金種毎に前記硬貨収納部に落下させる硬貨選別部」と記載されており、複数の金種の硬貨を選別し収納すること、また、その選別された複数の金種の硬貨を、金種毎に収納する上方開口の硬貨収納部が、金種毎にそれぞれ備えられ、複数あると認められる。
　また、願書に添付した明細書には、「硬貨選別部１３は、硬貨Ｃが搬送されて、所定の外径の選別穴１４に到達した際に、金種毎に後述する硬貨収納部１５に落下させる。」（段落【００２２】）と記載され、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）と記載され、【図２】には、複数の硬貨収納部１５ａ〜１５ｆが図示されている。
　以上のことから、「金種毎に仕切られた上方開口の複数の硬貨収納部」が記載されていることは自明である。
　さらに、願書に添付した明細書の、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）、「すなわち、硬貨Ｃは、金種に応じて選別穴１４から落下し、硬貨収納部１５ａ〜１５ｆに金種別に収納される。」（段落【００３０】）、「そして、搬送ベルト１８の搬送面１８ａは、硬貨収納部１５ａ〜１５ｆの底面及び硬貨払出搬送経路２１を形成している。」（段落【００２４】）、「ここで、硬貨収納部１５ａ〜１５ｆの底面部、即ち搬送面１８ａ部の横幅Ｗは、・・・その硬貨収納部１５ａ〜１５ｆに収納される硬貨Ｃの直径よりも広くその硬貨収納部１５ａ〜１５ｆに収納される硬貨Ｃの直径にその硬貨の厚さを加えた幅よりは狭く設定されている。」（段落【００２４】）との記載、及び、【図２】〜【図６】から、「前記硬貨選別位置に位置し、搬送された前記硬貨を前記硬貨選別搬送経路に沿わせて順次穴幅寸法が拡大する金種別の選別穴から金種毎に前記各硬貨収納部に落下させる硬貨選別部」、「前記各硬貨収納部に収納された前記硬貨を硬貨払出搬送経路に沿って搬送面上を搬送して金種毎に硬貨払出搬送方向へ搬送する手段」、「前記各硬貨収納部の相対向する前記仕切板の間の間隔を対応する前記各硬貨収納部に収納される硬貨の直径よりも広くその硬貨収納部に収納される硬貨の直径にその硬貨の厚さを加えた幅よりは狭く形成した」は自明である。
　したがって、当該訂正事項１は、願書に添付した明細書、特許請求の範囲又は図面に記載した事項又は記載した事項から自明の事項であり、願書に添付した明細書等の全ての記載を総合することにより導かれる技術的事項との関係において新たな技術的事項を導入しないものであるから、当該訂正事項１は、願書に添付した明細書、特許請求の範囲又は図面に記載した事項の範囲内においてするものであり、特許法第１２６条第５項の規定に適合するものである。
　
イ．訂正事項２について
　上記「（２）ア．」で述べたとおり、訂正前の請求項４には、「金種毎に仕切られた上方開口の硬貨収納部」と記載され、「前記硬貨選別位置に位置し、搬送された前記硬貨を前記硬貨選別搬送経路に沿わせて順次穴幅寸法が拡大する金種別の選別穴から金種毎に前記硬貨収納部に落下させる硬貨選別部」と記載されており、複数の金種の硬貨を選別し収納すること、また、その選別された複数の金種の硬貨を、金種毎に収納する上方開口の硬貨収納部が、金種毎にそれぞれ備えられ、複数あると認められる。
　また、願書に添付した明細書には、「硬貨選別部１３は、硬貨Ｃが搬送されて、所定の外径の選別穴１４に到達した際に、金種毎に後述する硬貨収納部１５に落下させる。」（段落【００２２】）と記載され、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）と記載され、【図２】には、複数の硬貨収納部１５ａ〜１５ｆが図示されている。
　以上のことから、明細書の段落【００１３】及び【００１８】について、「金種毎に仕切られた上方開口の複数の硬貨収納部」が記載されていることは自明である。
　さらに、願書に添付した明細書の、「硬貨払出装置１には、選別穴１４のそれぞれに連通させて、垂直で互いに平行な複数の仕切板１７により金種毎に仕切られた上方開口の硬貨収納部１５が設けられている。」（段落【００２３】）、「すなわち、硬貨Ｃは、金種に応じて選別穴１４から落下し、硬貨収納部１５ａ〜１５ｆに金種別に収納される。」（段落【００３０】）、「そして、搬送ベルト１８の搬送面１８ａは、硬貨収納部１５ａ〜１５ｆの底面及び硬貨払出搬送経路２１を形成している。」（段落【００２４】）、「ここで、硬貨収納部１５ａ〜１５ｆの底面部、即ち搬送面１８ａ部の横幅Ｗは、・・・その硬貨収納部１５ａ〜１５ｆに収納される硬貨Ｃの直径よりも広くその硬貨収納部１５ａ〜１５ｆに収納される硬貨Ｃの直径にその硬貨の厚さを加えた幅よりは狭く設定されている。」（段落【００２４】）との記載、及び、【図２】〜【図６】から、「前記硬貨選別位置に位置し、搬送された前記硬貨を前記硬貨選別搬送経路に沿わせて順次穴幅寸法が拡大する金種別の選別穴から金種毎に前記各硬貨収納部に落下させる硬貨選別部」、「前記各硬貨収納部に収納された前記硬貨を硬貨払出搬送経路に沿って搬送面上を搬送して金種毎に硬貨払出搬送方向へ搬送する手段」、「前記各硬貨収納部の相対向する前記仕切板の間の間隔を対応する前記各硬貨収納部に収納される硬貨の直径よりも広くその硬貨収納部に収納される硬貨の直径にその硬貨の厚さを加えた幅よりは狭く形成した」こと（【００１３】及び【００１８】）は自明である。
　したがって、当該訂正事項２は、願書に添付した明細書、特許請求の範囲又は図面に記載した事項又は記載した事項から自明の事項であり、願書に添付した明細書等の全ての記載を総合することにより導かれる技術的事項との関係において新たな技術的事項を導入しないものであるから、当該訂正事項２は、願書に添付した明細書、特許請求の範囲又は図面に記載した事項の範囲内においてするものであり、特許法第１２６条第５項の規定に適合するものである。
　
（４）特許請求の範囲の実質上の拡張・変更の存否について
ア．訂正事項１について
　上記「（２）ア．」の理由から明らかなように、上記訂正事項１は、「金種毎に仕切られた上方開口の硬貨収納部」を「金種毎に仕切られた上方開口の複数の硬貨収納部」へと、「前記硬貨収納部」を、「前記各硬貨収納部」と、明瞭でない記載を明瞭にする訂正をするものであり、カテゴリーや対象、目的を変更するものではないから、実質上特許請求の範囲を拡張し、又は変更するものには該当せず、特許法第１２６条第６項の規定に適合するものである。
　
イ．訂正事項２について
　上記訂正事項２は、請求項４に記載された「金種毎に仕切られた上方開口の硬貨収納部」および「前記硬貨収納部」に関するものであるが、当該訂正事項２については、明瞭でない記載を明瞭にする訂正をするものであり、カテゴリーや対象、目的を変更するものではないから、実質上特許請求の範囲を拡張し、又は変更するものには該当せず、特許法第１２６条第６項の規定に適合するものである。
　
（５）小括
　以上のように、請求項４に係る訂正は、特許法第１２６条第１項ただし書第３号に掲げる事項を目的とし、同条第３項乃至第６項の規定に適合する。
　
　
第４　むすび
　
　以上のとおりであるから、本件審判の請求は、特許法第１２６条第１項ただし書第３号に掲げる事項を目的とし、同条第３項乃至第６項の規定に適合する。
　
　よって、結論のとおり審決する。